(57)【特許請求の範囲】
【請求項１】
ケーシング内に配置されるエアフィルタであって、
互いに対向する両側板と、前記両側板の一端部を接続する地板と、前記地板に対向しかつ前記両側板の他端部を接続するように、これらに着脱自在に取り付けられる天板とによって構成され、前後に開口された四角枠形のエアフィルタ枠と、
前記エアフィルタ枠の内部に配置される濾材と、
前記天板の後端部近傍又は後端部から前記ケーシングの天外枠部に向って突出し、先端部が前記天外枠部の内面に当接する突起部とを備え、
前記天板は、前記突起部の先端部と前記天外枠部との当接部分を支点に、前記天板の前端部が前記両側板から離れるように回動させられ、かつ前方に移動させられて、前記両側板から取り外されることが可能なエアフィルタ。
【請求項２】
前記天板の前記両側板に接続される両側端部それぞれには、前記側板の外面に沿って、前記地板に向けて立ち上げられた立上片が設けられ、
前記立上片には、穴又は凸部が設けられると共に、前記各側板の前記他端部近傍には前記穴又は凸部に一致する位置に、嵌合凸部又は嵌合穴が設けられ、
前記天板が前記両側板に取り付けられるとき、前記穴又は凸部が前記嵌合凸部又は嵌合穴に嵌合することを特徴とする請求項１に記載のエアフィルタ。
【請求項３】
前記天板は、前記穴又は凸部の前記嵌合凸部又は嵌合穴との嵌合状態が外され、かつ天板の前端部が前記両側板から離れるように、前記当接部分を支点に回動させられることを特徴とする請求項２に記載のエアフィルタ。
【請求項４】
前記凸部又は前記穴は、前記天板の前後方向における中心位置よりも前方側に設けられることを特徴とする請求項２に記載のエアフィルタ。
【請求項５】
前記突起部は、エアフィルタ枠の前後方向に対して垂直な平板状を呈することを特徴とする請求項１に記載のエアフィルタ。
【請求項６】
前記突起部は、母線がエアフィルタ枠の前後方向に直交し、かつ曲面が前記天外枠部に向けられた半円柱状を呈することを特徴とする請求項１に記載のエアフィルタ。
【請求項７】
前記両側板それぞれの外側に配置される両側外枠部と、前記地板の外側に配置され、前記両側外枠部の一端部を接続する地外枠部と、前記両側外枠部の他端部を接続する前記天外枠部とを有し四角枠形を呈し、前記エアフィルタ枠が内部に配置されて取り付けられるケーシングを備えることを特徴とする請求項１に記載のエアフィルタ。
【請求項８】
前記天板の前端部が前記天外枠部の前端部より前方側に配置されることを特徴とする請求項１に記載のエアフィルタ。
【請求項９】
前記エアフィルタ枠の前方側の開口部において、前記両側板の前端部を連結するように、これらに着脱自在に取り付けられる補強部を備えることを特徴とする請求項１に記載のエアフィルタ枠。
【請求項１０】
前記補強部は、両前方側枠部と、前記両前方側枠部の一端部を接続する前方天枠部と、前記両前方側枠部の他端部を接続する前方地枠部とから構成される四角枠形の枠部材であって、
前記前方地枠部が前記フィルタ枠の地板の上に載せられると共に、前記両前方側枠部それぞれに前記フィルタ枠の両側板の前端部それぞれが嵌合されることにより、前記枠部材が前記両側板の前端部を連結することを特徴とする請求項９に記載のエアフィルタ。
【請求項１１】
前記枠部材の内部には、プレフィルタ濾材が装着されることを特徴とする請求項１０に記載のエアフィルタ。
【請求項１２】
前記前方両側枠部それぞれには、後方に向けて開口する溝が設けられ、前記両側板の前端部それぞれは前記溝に嵌合することを特徴とする請求項１０に記載のエアフィルタ。
【請求項１３】
前記溝は、前記前方両側枠部それぞれの外周面に設けられた断面Ｌ字部材によって形成されることを特徴とする請求項１２に記載のエアフィルタ。
【請求項１４】
前記天板の前記両側板に接続される両側端部それぞれには、前記側板の外周面に沿って、前記地板に向けて立ち上げられた立上片が設けられ、
前記各立上片の前方には凹部が設けられ、その凹部それぞれに前記前方側枠部と前記前方天枠部の接続部分が嵌合することを特徴とする請求項１０に記載のエアフィルタ。
【請求項１５】
前記天板の前端部には、前記地板に向けて立ち上げられた第１の前方立上片が設けられ、前記第１の前方立上片が前記凹部の一部を構成し、前記枠部材は前記両側板の前端部と前記第１の前方立上片に挟持されることを特徴とする請求項１４に記載のエアフィルタ。
【請求項１６】
前記地板の前端部には、前記天板に向けて立ち上げられた第２の前方立上片が設けられると共に、前記枠部材は、前記両側板の前端部と前記第２の前方立上片に挟持されていることを特徴とする請求項１０に記載のエアフィルタ。
【発明の詳細な説明】
【技術分野】
【０００１】
本発明はビル空調、産業空調等で使用し、フィルタ枠の内部に配置された濾材を、フィルタ枠の天板を取り外して交換することが可能なエアフィルタに関する。
【背景技術】
【０００２】
従来、空気中の塵埃や汚染物質が除去されるために、ガラス繊維から成る濾紙やポリエステル等の不織布である濾材がひだ状に折り畳まれて濾材パックが形成され、その濾材パックが四角枠形のフィルタ枠内部に配置されて構成されるエアフィルタが知られている。この種のフィルタとしては、環境保全の観点から、耐用年数が経過した使用済みの濾材パックだけを交換して、フィルタ枠を繰り返し使用する濾材交換型のものが近年多く用いられつつある。
【０００３】
上記エアフィルタにおける濾材交換は、例えば、フィルタ枠の天板が取り外され、その開口された天面から濾材パックが抜き出された後、新たな濾材パックが挿入されて行われることが知られている（例えば特許文献１参照）。しかし、エアフィルタは、通常、空調設備等に設けられたケーシング内に取り付けられて使用されている。そのため、上記構成では、天板を取り外し、又は天面から濾材パックの交換を行うときのスペース的な制約から、一旦エアフィルタ全体をケーシングから取り外した後、濾材パックの交換を行わなければならず交換作業が煩雑になる。
【０００４】
また、フィルタ枠のエア流入側の開口部から濾材パックを出し入れして、濾材交換が行われることも知られている。しかし、フィルタ枠の天地板と濾材パックとの間のシール性確保のために、濾材パックの天地面には、弾性マット等から形成されたシール材が装着されていると共に、濾材パックの高さは、枠内部の高さに対してやや大きく設定されている。したがって、開口部から濾材パックを出し入れして濾材交換を行う場合、相当な力で濾材パックを枠内部に押し込め、或いは引き出す必要がある。
【０００５】
一方、特許文献２には、側板上端のエア下流側の端部に、天板が揺動自在に取り付けられ、天板を上方に揺動させた後、フィルタ枠の前面から濾材パックを出し入れすることが可能な濾材交換型エアフィルタが開示されている。このエアフィルタでは、濾材パックをフィルタ枠内に出し入れする際、濾材パックを押し込め或いは引き出す力が小さくて良いので、濾材パックの交換を比較的容易に行うことができる。
【特許文献１】特許第３４６００３２号公報
【特許文献２】特許第３２７３３３３号公報
【発明の開示】
【発明が解決しようとする課題】
【０００６】
しかし、特許文献２に記載されるフィルタ枠では、スペース的な制約からフィルタ枠とケーシングとの間の間隔は狭いため、エアフィルタ枠をケーシングに取り付けたままでは、エアフィルタ枠の天板を十分に上方に揺動させることができない。また上記フィルタ枠では、天板をフィルタ枠から取り外すこともできず、したがって、エアフィルタ枠をケーシングに取り付けたまま濾材交換を行うと、上方に揺動された天板が邪魔になり、濾材交換の作業が煩雑になるという問題がある。さらに、特許文献２のフィルタ枠の構成では天板が側板の上端に揺動自在に取り付けられているためその揺動構造も複雑である。
【０００７】
そこで、本発明は以上の問題点に鑑みて成されたものであり、エアフィルタ枠をケーシングに取り付けたままでも、濾材パック交換を容易に行うことができるエアフィルタを提供することを目的とする。
【課題を解決するための手段】
【０００８】
本発明に係るエアフィルタは、互いに対向する両側板と、両側板の一端部を接続する地板と、地板に対向しかつ両側板の他端部を接続するように、これらに着脱自在に取り付けられる天板とによって構成され、前後に開口された四角枠形のエアフィルタ枠と、エアフィルタ枠の内部に配置される濾材パックと、天板の外側に天板から離間して配置される天外枠部と、天板の後端部近傍又は後端部から天外枠部に向って突出し、先端部が天外枠部の内面に当接する突起部とを備える。そして、上記天板は、突起部の先端部と天外枠部との当接部分を支点に、天板の前端部が両側板から離れるように回動させられ、かつ前方に移動させられて、両側板から取り外されることが可能である。
【０００９】
天板の両側板に接続される両側端部それぞれには、側板の外面に沿って、地板に向けて立ち上げられた立上片が設けられることが好ましい。立上片には、穴又は凸部が設けられると共に、各側板の他端部近傍には穴又は凸部に一致する位置に、嵌合凸部又は嵌合穴が設けられることが好ましい。天板が両側板に取り付けられるとき、穴又は凸部が嵌合凸部又は嵌合穴に嵌合する。この場合、天板は例えば、穴又は凸部の嵌合凸部又は嵌合穴との嵌合状態が外され、かつ天板の前端部が両側板から離れるように、当接部分を支点に回動させられる。また、凸部又は穴は、天板の前後方向における中心位置よりも前方側に設けられていたほうが良い。
【００１０】
突起部は、エアフィルタ枠の前後方向に対して垂直な平板状を呈していても良い。また、突起部は、母線がエアフィルタ枠の前後方向に直交し、かつ曲面が天外枠部に向けられた半円柱状を呈していても良い。
【００１１】
両側板それぞれの外側に配置される両側外枠部と、地板の外側に配置され、両側外枠部の一端部を接続する地外枠部と、両側外枠部の他端部を接続する上述した天外枠部とを有し四角枠形を呈し、エアフィルタ枠が内部に配置されて取り付けられるケーシングを備えることが好ましい。天板の前端部は、天外枠部の前端部より前方側に配置されることが好ましい。
【００１２】
エアフィルタ枠の前方側の開口部において、両側板の前端部を連結するように、これらに着脱自在に取り付けられる補強部を備えていたほうが良い。補強部は例えば、両前方側枠部と、両前方側枠部の一端部を接続する前方天枠部と、両前方側枠部の他端部を接続する前方地枠部とから構成される四角枠形の枠部材である。この場合、前方地枠部がフィルタ枠の地板の上に載せられると共に、両前方側枠部それぞれにフィルタ枠の両側板の前端部それぞれが嵌合されることにより、枠部材が両側板の前端部を連結する。枠部材の内部には、プレフィルタ濾材が装着されることが好ましい。
【００１３】
また、前方両側枠部それぞれには、後方に向けて開口する溝が設けられ、両側板の前端部それぞれは、それら溝に嵌合することが好ましい。上記溝は例えば、前方両側枠部それぞれの外周面に設けられた断面Ｌ字部材によって形成される。
【００１４】
天板の両側板に接続される両側端部それぞれに、側板の外周面に沿って、地板に向けて立ち上げられた立上片が設けられる場合、各立上片の前方には凹部が設けられ、その凹部それぞれに前方側枠部と前方天枠部の接続部分が嵌合することが好ましい。
【００１５】
天板の前端部には、地板に向けて立ち上げられた第１の前方立上片が設けられ、第１の前方立上片が凹部の一部を構成し、枠部材は両側板の前端部と第１の前方立上片に挟持されることが好ましい。地板の前端部には、天板に向けて立ち上げられた第２の前方立上片が設けられると共に、枠部材は、両側板の前端部と第２の前方立上片に挟持されていることが好ましい。
【発明の効果】
【００１６】
本発明では、フィルタ枠をケーシングに取り付けたまま簡単な構成でフィルタ枠の天板のみを取り外すことができるので、濾材パックの交換を容易に行うことが可能になる。
【発明を実施するための最良の形態】
【００１７】
以下本発明について、図面を参照しつつ説明する。
図１は、本発明の一実施形態に係るエアフィルタの全体を示す分解斜視図である。なお、以下の説明では、水平方向における一方向を左右方向Ｌ、鉛直方向を上下方向Ｖ、上下方向Ｖ及び左右方向Ｌに直交する方向を前後方向Ｄとする。また、以下の説明では特に言及がない限り、フィルタ枠において天板が両側板に取り付けられると共に、濾材パック、プレフィルタがフィルタ枠に取り付けられたときの構成を説明する。
【００１８】
本実施形態に係るエアフィルタ１０は、濾材パック１１と、フィルタ枠１２と、ケーシング１３と、プレフィルタ１４とを備える。フィルタ枠１２は、天板２１、地板２２、左側板２３、及び右側板２４を備える。左側板２３及び右側板２４は、上下方向Ｖが長手方向となる略矩形の平板状を呈し、上下方向Ｖ及び前後方向Ｄに平行に、かつ互いに対向して配置される。
【００１９】
天板２１及び地板２２は、左右方向Ｌが長手方向となる略矩形の平板状を呈し、左右方向Ｌ及び前後方向Ｄに平行に配置される。地板２２は、両側板２３、２４の下端部を接続する。天板２１は、地板２２に対向しかつ両側板２３、２４の上端部を接続するように、両側板２３、２４の上に着脱自在に取り付けられる。フィルタ枠１２は、前後に開口された四角枠形を呈し、フィルタ枠１２の前方側の開口部５０Ｆから後方側の開口部５０Ｂに向けてエアが流入される。
【００２０】
ケーシング１３は、フィルタ枠１２を内部に収納するための外枠１７と、フィルタ枠１２が取り付けられるための取付枠１８とを備える。外枠１７は、略矩形の平板状の天外枠部３１、地外枠部３２、左外枠部３３、及び右外枠部３４を備える。天外枠部３１、地外枠部３２それぞれは、左右方向Ｌ及び前後方向Ｄに平行に配置され、フィルタ枠１２の天板２１、地板２２それぞれの外側に配置される。左外枠部３３、右外枠部３４それぞれは、上下方向Ｖ及び前後方向Ｄに平行に配置され、フィルタ枠１２の左側板２３、右側板２４それぞれの外側に配置される。
【００２１】
外地枠部３２は、左右の外枠部３３、３４の下端部を接続すると共に、天外枠部３１は左右の外枠部３３、３４の上端部を接続し、取付枠１８は四角枠形を呈する。外枠１７は、左右方向Ｌ及び上下方向Ｖにおいてフィルタ枠１２よりも大きく、外枠部３１、３２、３３、３４の内面それぞれは、天板２１、地板２２、両側板２３、２４の外面それぞれから離間している。外枠部３１〜３４それぞれの前後方向Ｄの長さは、フィルタ枠の各板２１〜２４それぞれの前後方向Ｄの長さより短く、フィルタ枠１２の各板２１〜２４の前端部２１Ｆ〜２４Ｆそれぞれは、外枠部３１〜３４の前端部３１Ｆ〜３４Ｆそれぞれより前方に配置される。
【００２２】
取付枠１８は、外枠１７の後方の開口部の一部を覆うように設けられている。取付枠１８は、板状のフラットな四角枠形に形成され、左右方向Ｌに延び、互いに平行に配置される略矩形の後方天板部１８Ａ及び後方地板部１８Ｂと、上下方向Ｈに延び互いに平行に配置される略矩形の後方左側板部１８Ｃ及び後方右側板部１８Ｄとによって構成される。後方板部１８Ａ〜１８Ｄそれぞれは、外枠部３１〜３４それぞれの後端部３１Ｂ〜３４Ｂに連設されており、取付枠１８は外枠１７と一体に形成される。
【００２３】
濾材パック１１は、ガラス繊維、合成繊維、不織布等から成るシート状濾材が、折り目に沿ってジグザグにひだ折りされて構成され、略直方体形に形成される。濾材パック１１は、その折り目が上下方向Ｖに平行に配置され、かつ濾材パック１１の背面１１Ｂが取付枠１８の前面１８Ｆに当接するように、フィルタ枠１２の内部に配置される。
【００２４】
濾材パック１１の上下の端面１１Ｕ、１１Ｄそれぞれと天板２１及び地板２２の内面それぞれの間には、クッション性を有するシート性の第１のシール材１５が設けられ、これらの間は第１のシール材１５によってシールされる。また、各端面１１Ｕ、１１Ｄは、シール材１５を介して、天板２１及び地板２２の内面に押圧支持されている。濾材パック１１の端面１１Ｕ、１１Ｄは、多数のひだ山の端面によって形成されており、ひだ山とひだ山との間からのエア漏れをなくすために、第１のシール材１５は、端面１１Ｕ、１１Ｄの全面を覆うように設けられる。
【００２５】
濾材パック１１の左右の端面１１Ｌ、１１Ｒそれぞれには、第２シール材１６が取り付けられる。両側板２３、２４の内周面と、左右の端面１１Ｌ、１１Ｒそれぞれの間は、第２シール材１６によってシールされると共に、左右の端面１１Ｌ、１１Ｒは、第２のシール材１６を介して両側板２３、２４に押圧支持される。但し、左右の端面１１Ｌ、１１Ｒは、１つのひだ山の１枚の折り壁で構成されるため、第２のシール材１６は、端面１１Ｌ、１１Ｒにおいて上端から下端まで延在するが、前後方向Ｄにおいては一部分に取り付けられる。第１及び第２のシール材１５，１６は、例えば繊維材料、発泡体、スポンジ等のシート状の弾性材料で構成される。なお、第２のシール材１６は省略されていても良い。
【００２６】
プレフィルタ１４は、濾材パック１１の前方に設けられ、フィルタ枠１２の前方側の開口部５０Ｆを覆うように配置される。本実施形態におけるエアフィルタ１０は、濾材交換型のエアフィルタであって、天板２１及びプレフィルタ１４が取り外された後、濾材パック１１を前方から取り出し又は挿入することが可能なフィルタである。なお、フィルタ枠１２、ケーシング１３、及び後述するプレフィルタ枠３９は、例えば、アルミ、亜鉛鋼板等の金属から形成される。
【００２７】
図２は、フィルタ枠及びケーシングの拡大斜視図である。図３は、フィルタ枠の正面図である。図４は天板の側面図である。以下、図２〜４を用いて本実施形態に係るフィルタ枠及びケーシングの構成をさらに詳細に説明する。
【００２８】
図２、３に示すように、フィルタ枠１２の地板２２及び両側板２３、２４の後端部２２Ｂ〜２４Ｂには、これら板がフィルタ枠１２の外側に向かって垂直に折り曲げられて成形された、折り曲げ部２２Ｓ〜２４Ｓが設けられる。各折り曲げ部２２Ｓ〜２４Ｓそれぞれは、後方地板部１８Ｂ、及び左右の後方側板部１８Ｃ、１８Ｄそれぞれの前面１８Ｆに当接し、これらにボルト２７等によって固定されている。
【００２９】
図２、４に示すように、天板２１の前端部２１Ｆには、天板２１が垂直に折り曲げられて成形され、下方（すなわち、地板２２）に向かって立ち上げられる板状の第１の前方立上片２８が設けられる。第１の前方立上片２８は、天板２１の左端部２１Ｌから右端部２１Ｒまで設けられる。両側板２３、２４に接続される、天板２１の左端部２１Ｌ及び右端部２１Ｒには、天板２１が垂直に折り曲げられて成形され、下方に向かって立ち上げられる板状の立上片３５Ｌ、３５Ｒが設けられる。立上片３５Ｌ、３５Ｒの前方は切り取られており、天板２１には、天板２１の内面（下面）２１Ｎと、第１の前方立上片２８の背面と、立上片３５Ｌ、３５Ｒの前端面によって凹部３８Ｌ、３８Ｒが形成される。
【００３０】
地板２２の前端部２２Ｆには、地板２２が垂直に折り曲げられ成形され、上方に向かって立ち上げられる板状の第２の前方立上片２９が設けられる。第２の前方立上片２９は、地板２２の左端部２２Ｌから右端部２２Ｒまで設けられる。両側板２３、２４の前端部２３Ｆ、２４Ｆは、天板２１、地板２２の前端部２１Ｆ、２２Ｆより後方側に配置され、前方立上片２８、２９と左右の側板２３、２４の前端部２３Ｆ、２４Ｆとの間には、隙間４７が形成される。そして、両側板２３、２４の前端部２３Ｆ、２４Ｆは、立上片３５Ｌ、３５Ｒの前端面より前方側に配置され、側方から見ると、前端部２３Ｆ、２４Ｆは凹部３８Ｌ、３８Ｒの内部に配置される。なお、隙間４７は、後述するプレフィルタ枠４７が、前方立上片２８、２９と前端部２３Ｆ、２４Ｆの間に配置されるためのスペースとなる。
【００３１】
天板２１の第１の前方立上片２８の先端部は、図４に示すように、内側に垂直に折り曲げられた後、さらに上方に垂直に折り曲げられて二度折りされているが、もちろん二度折りされていなくても良い。また、地板２２の第２の前方立上片２９の先端部は、さらに内側に向けてムダ折りされて、そのムダ折りされた部分は、第２の前方立上片２９の背面に密着するように形成されるが、もちろんムダ折りされていなくても良い。
【００３２】
側板２３、２４の前端部２３Ｆ、２４Ｆは、外側に向けてムダ折りされており、そのムダ折りされた部分５１は、側板２３、２４の外面に密着するように形成されるが、もちろんこれらはムダ折りされていなくても良い。側板２３、２４は、内側に向って折り曲げられておらず、側板２３、２４の内面はフラットな平面に形成される。
【００３３】
次に、天板２１が両側板２３、２４に取り付けられるための構造について、図２〜４を用いてさらに詳細に説明する。天板２１は、立上片３５Ｌ、３５Ｒそれぞれが左側板２３、右側板２４の外面に沿うようにして、左側板２３、右側板２４の上端部２３Ｕ、２４Ｕの上に載置され、これらに取り付けられる。
【００３４】
立上片３５Ｌ、３５Ｒそれぞれには、穴３６Ｌ、３６Ｒが穿設される。穴３６Ｌ、３６Ｒは、天板２１（すなわち、フィルタ枠１２）の前後方向Ｄにおける中心位置Ｃ２よりも前方側であって、天板２１の前端部２１Ｆ近傍に配置される。一方、左側板２３、右側板２４それぞれの上端部２３Ｕ、２４Ｕ近傍の外面には、穴３６Ｌ、３６Ｒに一致する位置に嵌合凸部３７Ｌ、３７Ｒが設けられる。
【００３５】
嵌合凸部３７Ｌ、３７Ｒは穴３６Ｌ、３６Ｒに嵌合させられている。天板２１は、この嵌合により、両側板２３、２４に対して相対的に移動することが規制されることとなる。なお、立上片３５Ｌ、３６Ｒは、両側板２３、２４を内側に向けて押圧するように配置されていることが好ましい。この場合、押圧に反発して両側板２３、２４が外側に向けて復元されるので、嵌合凸部３７Ｌ、３７Ｒの穴３６Ｌ、３６Ｒへの嵌合状態は安定する。
【００３６】
天板２１の後端部２１Ｂには、天板２１の外面（上面）２１Ｇから上方に向けて突出する突起部４８、４９が設けられる。突起部４８、４９は、後端部２１Ｂにおいて、左右方向Ｈにおける中心位置Ｃ１を中心に対称に配置され、本実施形態では左右の端部に配置される。突起部４８、４９は、それぞれ後端部２１Ｂに連設された凸部が上方に折り曲げられて成形されており、前後方向Ｄに対して垂直な平板状を呈する。突起部４８、４９の背面と天板２１の後端部２１Ｂは、同一平面上に配置される。天板２１の後端部２１Ｂ及び突起部４８、４９の背面は後方天板部１８Ａの前面１８Ｆに当接している。
【００３７】
突起部４８、４９の高さは、天板２１の外面２１Ｇと天外枠部３１の内面３１Ｎとの離間距離に略等しく、突起部４８、４９の先端部４８Ｔ、４９Ｔは、天外枠部の内面３１Ｎに当接している。これにより、天板２１は、天外枠部３１と両側板２３、２４の上端部２３Ｕ、２４Ｕによって挟み込まれ、上下方向Ｖに移動することが規制される。なお、天板２１は好ましくは突起部４８、４９を介して天外枠部３１に押圧されている。以上のように、本実施形態では、天板２１は、立上片３５Ｒ、３５Ｌ及び天外枠部３１によってその移動が規制され、両側板２３、２４の上に取り付けられている。
【００３８】
次に図１、５を参照して本実施形態に係るプレフィルタの構成を説明する。プレフィルタ１４は、図１に示すように、プレフィルタ枠３９と、プレフィルタ濾材４０とを有する。プレフィルタ枠３９は、上下方向Ｖに延びて互いに平行に配置される左右の前方側枠部４３、４４、並びに左右方向Ｌに延びて互いに平行に配置される前方天枠部４１及び前方地枠部４２を備える。前方天枠部４１及び前方地枠部４２は、前方側枠部４３、４４の上下の端部それぞれを接続し、プレフィルタ枠３９は四角枠形に形成される。
【００３９】
プレフィルタ濾材４０は、濾材パック１１よりメッシュが粗い濾材であって、空気中の粗い塵埃や汚染物質を除去し、これらが濾材パック１１に付着することを防止する。プレフィルタ濾材４０は、その左右上下の端面が、左右の前方側枠部４３、４４、前方天枠部４１、及び前方地枠部４２に接着又は固定され、プレフィルタ枠３９の内部に装着される。
【００４０】
プレフィルタ枠３９の前方側枠部４３、４４の外周面４３Ｓ、４４Ｓには、上下方向に延びる断面Ｌ字部材４５Ｌ、４５Ｒが連設されている。断面Ｌ字部材４５Ｌ、４５Ｒは、例えば、両側枠部４３、４４に一体に形成され、その上端から下端まで設けられている。断面Ｌ字部材４５Ｌ、４５Ｒそれぞれは、図５に示すように、外周面４３Ｓ、４４Ｓから外側に向かって突出する第１の突出部４５Ａと、第１の突出部４５Ａの先端部から後方に向かって突出する第２の突出部４５Ｂから成る。断面Ｌ字部材４５Ｌ、４５Ｒは、第１の突出部４５Ａを溝底面とすると共に、外周面４３Ｓ又は４４Ｓ及び第２の突出部４５Ｂを溝側壁とする溝４６Ｌ、４６Ｒを形成する。これら溝４６Ｌ、４６Ｒは、上下方向Ｖに延在し、かつ後方に向けて開口する。
【００４１】
溝４６Ｌ、４６Ｒの内部に、左側板２３、右側板２４の前端部２３Ｆ、２４Ｆが嵌合されると共に、前方地枠部４２がフィルタ枠１２の地板２２の上面に載せられて、プレフィルタ枠３９は濾材パック１１の前方に配置される。これにより、両側板２３、２４の前端部２３Ｆ、２４Ｆは、プレフィルタ枠３９によって連結される。そして、プレフィルタ枠３９の両前方側枠部４３、４４それぞれと前方天枠部４１との接続部分５３Ｌ、５３Ｒは、天板２１の凹部３８Ｌ、３８Ｒ（図３参照）に嵌合される。
【００４２】
プレフィルタ枠３９の前方地枠部４２の前面は、第２の前方立上片２９の背面に圧接されると共に、前方天枠部４１の前面は、第１の前方立上片２８の背面に圧接されている。したがって、プレフィルタ枠３９は、前方立上片２８、２９と両側板２３、２４の前端部２３Ｆ、２４Ｆとによって挟持され、フィルタ枠１２に固定されることとなる。このような状態では、フィルタ枠１２の両側板２３、２４の前方側が、プレフィルタ枠３９によって保持され、フィルタ枠１２の両側板２３、２４は、左右に撓みにくくなる。
【００４３】
本実施形態では、天板２１は、フィルタ枠１２に取り付け、或いはフィルタ枠１２から取り外すことが可能である。天板２１が取り外されるときには、まず、天板２１の前端部２１Ｆ側が上方に強く引っ張られて凸部３７Ｌ、３７Ｒが嵌合穴３６Ｌ、３６Ｒから抜き取られる。このとき、天板２１は、突起部４８、４９の先端部４８Ｔ、４９Ｔと天外枠部の内面３１Ｎとの当接部分を支点に、天板２１の前端部２１Ｆが両側板２３、２４から離れるように上方に回動する。
【００４４】
次いで、天板２１は、上記当接部分を支点に、天板２１の前端部２１Ｆが両側板２３、２４からさらに離れるように上方に回動させられると共に、前方に向けて引っ張られる。これにより、天板２１は、前端部２１Ｆ側が斜め上方を向くように傾けられた状態で、突起部４８、４９を天外枠部３１の内面３１Ｎに当接させつつ、前方に移動して両側板２３、２４から取り外される。
【００４５】
一方、天板２１が取り付けられるときには、まず取り外された天板２１が、前端部２１Ｆ側が斜め上方を向くように傾けられた状態で、両側板２３、２４の上端部２３Ｕ、２４Ｕと天外枠部３１の内面３１Ｎとの間に挿入される。そして、天板２１は、後方に押されることにより、突起部４８、４９を天外枠部３１の内面３１Ｎに当接させつつ、後方に移動する。これと共に、天板２１は、突起部４８、４９と天外枠部３１の内面３１Ｎとの当接部分を支点に、前端部２１Ｆが両側板２３、２４に近づくように下方に向けて回動させられ、嵌合凸部３７Ｌ、３７Ｒの上に立上片３５Ｌ、３５Ｒが載せられた状態となる。
【００４６】
その後、天板２１は下方に押圧されて、天板２１の立上片３５Ｌ、３５Ｒが嵌合凸部３７Ｌ、３７Ｒによって僅かに外側に広げられつつ下方に移動させられる。なお、このときも、天板２１は上記当接部分を支点に下方に向けて回動することとなる。これにより、嵌合凸部３７Ｌ、３７Ｒは穴３６Ｌ、３６Ｒに嵌合させられると共に、凹部３８Ｌ、３８Ｒにプレフィルタ枠３９の接続部分５３Ｌ、５３Ｒが嵌め入れられ、天板２１が両側板２３、２４の上に取り付けられる。
【００４７】
なお、本実施形態では、天板２１の前端部２１Ｆが天外枠部３１の前端部３１Ｆより前方に配置されるので、両側板２３、２４と天外枠部３１との間に挿入された天板２１は、上方に回動しやすい。また、天板２１が両側板２３、２４と天外枠部３１との間で前後に移動するとき、天板２１と共に突起部４８、４９は傾けられており、突起部４８、４９の上下方向Ｖにおける長さが短くなっている。したがって、天板２１の前後の移動を突起部４８、４９が阻害することが防止される。
【００４８】
次に、本実施形態において、濾材パック１１が交換されるときの態様を説明する。濾材パック１１が交換されるときには、まず、天板２１が上述したように両側板２３、２４から取り外される。天板２１が取り外されると、次にプレフィルタ１４がフィルタ枠１２から取り外される。具体的には、プレフィルタ１４が上方に持ち上げられると共に前方に引っ張られることにより、溝４６Ｌ、４６Ｒから前端部２３Ｆ、２４Ｆが抜き取られ、プレフィルタ１４がフィルタ枠１２から取り外される。
【００４９】
プレフィルタ１４がフィルタ枠１２から取り外されると、フィルタ枠１２は、その前面及び天面が開口されるので、それら開口された前面ないし天面からフィルタ枠１２の内部に濾材パック１１が出し入れされ、濾材パック１１が交換される。本実施形態では、天板２１及びプレフィルタ１４が取り外された両側板２３、２４は、天板２１及びプレフィルタ１４によって左右の変位が規制されず左右に撓みやすくなる。さらに、両側板２３、２４の内面はフラットな平面に形成されており、したがって、濾材パック１１の出し入れは容易になる。なお、第１及び第２のシール材１５、１６は濾材パック１１と共に交換されても良いし、交換されなくても良い。
【００５０】
濾材パック１１が交換されると、次にプレフィルタ１４がフィルタ枠１２に取り付けられる。このとき、プレフィルタ枠３９の溝４６Ｌ、４６Ｒの内部に、左側板２３、右側板２４の前端部２３Ｆ、２４Ｆが嵌合されると共に、前方地枠部４２が地板２２の上面に置かれて、プレフィルタ１４がフィルタ枠１２に取り付けられる。プレフィルタ枠１４が取り付けられた後、上述したように両側板２３、２４に天板２１が取り付けられ、濾材パック１１の交換作業が終了する。
【００５１】
以上のように、本実施形態においては、フィルタ枠１２をケーシング１３に取り付けたまま、簡単な構成で天板２１のみを取り外すことができるので、濾材パック１１の交換を容易に行うことが可能になる。
【００５２】
図６は、本発明の第２の実施形態に係る天板を示す斜視図である。第２の実施形態において、第１の実施形態と相違する点は、突起部の構成である。第１の実施形態では、突起部は、天板２１が折り曲げられて成形され、天板２１の後端部２１Ｂから上方に突出していたが、本実施形態における突起部は、天板とは別部材のＬ字部材６０によって構成されると共に、後端部２１Ｂより前方の位置である、後端部２１Ｂ近傍から突出している。
【００５３】
本実施形態におけるＬ字部材６０は、天板２１の外面２１Ｇに当接されて固定される基底片６１と、基底片６１の後端部から基底部６１に対して垂直に立ち上げられた立上片６２とから成り、立上片６２が突起部となる。立上片６２は、第１の実施形態の突起部と同様に、前後方向に対して垂直な平板状を呈するが、後端部２１Ｂより前方に配置され、天板２１の後端部２１Ｂ近傍から上方に向けて突出することとなる。以上のように本実施形態では、天板２１の後端部２１Ｂに突起部が設けられないので、後端部２１Ｂにおける突起部を含めた天板２１の高さは低くなり、天板２１の後端部２１Ｂを天外枠部３１と両側板２３、２４（図２参照）の間に挿入しやすくなる。
【００５４】
図７は、本発明の第３の実施形態に係る天板を示す斜視図である。第３の実施形態において、第１及び第２の実施形態と相違する点は、突起部の構成である。本実施形態における突起部７１、７２は、円柱をその軸方向に２分割した半円柱状を呈し、分割平面７３が天板２１の外面２１Ｇに固定される。半円柱の突起部７１、７２は、その母線が前後方向Ｄに直交する左右方向Ｌに沿って延び、かつ曲面７４が天外枠部３１（図２参照）に向けられている。
【００５５】
本実施形態における突起部７１、７２は、第１の実施形態と同様に、天板２１の後端部２１Ｂに設けられ、突起部７１、７２の後端部の前後方向Ｄにおける位置は、天板２１の後端部２１Ｂに一致している。しかし、突起部７１、７２は半円柱状を成すため、後端部２１Ｂにおける突起部７１、７２を含めた天板２１の高さは低くなり、天板２１の後端部２１Ｂを天外枠部３１と両側板２３、２４の間に挿入しやすくなる。また、本実施形態では、突起部７１、７２の天外枠部３１との当接部分は曲面７４で形成される。したがって、突起部７１、７２を天側枠部３１の内面３１に当接させつつ、天板２１を前後に移動させても、突起部７１、７２によって内面３１Ｎが傷つけられることが防止される。
【００５６】
上記各実施形態においては、濾材パック１１の前方にプレフィルタ１４が設けられるが、プレフィルタ１４は設けられていなくても良い。但しこの場合も、両側板２３、２４の前端部２３Ｆ、２４Ｆを連結するように、これらに着脱自在に取り付けられ、両側板２３、２４の左右方向Ｌへの撓みを規制するための補強部が設けられることが好ましい。補強部としては、例えば、前端部２３Ｆ、２４Ｆを連結するように配置される柱状又は板状の部材であっても良いが、プレフィルタ枠３９と同様の構成を有する四角枠形の枠部材であっても良い。
【００５７】
また、上記各実施形態では、天板２１の立上片３５Ｌ、３５Ｒに穴が、両側板２３、２４に嵌合凸部が設けられたが、立上片３５Ｌ、３５Ｒそれぞれの内周面に凸部が、両側板２３、２４に各凸部が嵌合するための嵌合穴が穿設されていても良い。
【００５８】
また、上記各実施形態では、天板２１の突起部は、天板２１が両側板２３、２４に取り付けられた状態において、天外枠部３１の内面３１Ｎに当接していたが、当接していなくても良く、天板２１が回動するときに当接していれば良い。さらに、天板２１は、両側板２３、２４から取り外されるとき、突起部を天外枠部３１の内面３１Ｎに当接させつつ前後に移動していたが、当接させないで前後に移動しても良い。
【図面の簡単な説明】
【００５９】
【図１】本発明の第１の実施形態に係るエアフィルタの分解斜視図である。
【図２】第１の実施形態において、天板が取り外されたときのエアフィルタ枠及びケーシングを示す斜視図である。
【図３】天板を除くエアフィルタ枠を示す正面図である。
【図４】第１の実施形態における天板を示す側面図である。
【図５】プレフィルタ枠の一部を示すための上面図である。
【図６】第２の実施形態における天板を示す斜視図である。
【図７】第３の実施形態における天板を示す斜視図である。
【符号の説明】
【００６０】
１０  エアフィルタ
１１  濾材パック
１２  フィルタ枠
１３  ケーシング
１４  プレフィルタ
１７  外枠
１８  取付枠
２１  天板
２２  地板
２３  左側板（側板）
２４  右側板（側板）
３１  天外枠部
３２  地外枠部
３３  左外枠部（側外枠部）
３４  右外枠部（側外枠部）
４８、４９、７１、７２  突起部
３６Ｌ、３６Ｒ  穴
３７Ｌ、３７Ｒ  嵌合凸部
４１  前方天枠部
４２  前方地枠部
４３  前方左枠部（前方側枠部）
４４  前方右枠部（前方側枠部）
６２  立上片（突起部）
【図１】
0005044468.tif 000002
【図２】
0005044468.tif 000003
【図３】
0005044468.tif 000004
【図４】
0005044468.tif 000005
【図５】
0005044468.tif 000006
【図６】
0005044468.tif 000007
【図７】
0005044468.tif 000008